(57)【要約】【課題】圧縮比に拘らず可変圧縮比内燃機関の振動を抑制できる技術を提供する。【解決手段】カム軸９を回転させて、クランクケース４とシリンダブロック３とを相対移動させることにより圧縮比を変更する可変圧縮比内燃機関であって、目標圧縮比が可変圧縮比範囲の最高圧縮比である場合には、カム軸９を最低圧縮比の状態から９０度の回転角まで回転させて圧縮比を最高圧縮比とし、さらに、クランクケース４とシリンダブロック３との相対位置をその状態から変化させずにカム軸９を９０度回転させる。【選択図】図３
2007298004.tif 000002
【特許請求の範囲】
【請求項１】
内燃機関におけるクランク軸が組み付けられたクランクケースと、
前記内燃機関におけるシリンダが形成されるとともに、前記クランクケースに相対移動可能に取り付けられたシリンダブロックと、
前記シリンダブロックにおけるシリンダの両側方に平行に配置されて互いに逆方向に回転する一対のカム軸と、を備え、
前記カム軸は、軸部と、前記軸部に固定されているカム部とからなるとともに、前記軸部に対して回転可能に取り付けられた可動軸受部を有し、前記カム部が、前記シリンダブロック又は前記クランクケースの一方に形成されたカム収納孔に回転可能に収納されると共に、前記可動軸受部が、前記シリンダブロック又は前記クランクケースの他方に形成された軸受収納孔に回転可能に収納されており、
前記軸部は円柱形の外形を有し、
前記カム部は前記軸部の中心に対して偏心し、前記軸部より径の大きい円形のカムプロフィールを有するとともに、前記カム収納孔は前記カム部と同一の円形の孔形状を有し、
前記可動軸受部は前記軸部の中心に対して偏心し、前記カム部と同一の円形の外径を有するとともに、前記軸受収納孔は前記可動軸受部と同一の円形の孔形状を有し、
前記カム軸を回転させて、前記クランクケースと前記シリンダブロックとを、相対的に接近または離反させることにより、前記内燃機関の圧縮比を変更する可変圧縮比内燃機関であって、
前記カム軸における前記可動軸受部の中心、前記軸部の中心及び前記カム部の中心が、前記カム軸の軸線方向から見て、該順番で前記シリンダの軸方向に略平行に略一直線上に並んだ第１状態から、前記カム軸を該第１状態より略９０度回転させることによって、前記カム軸の軸線方向から見て、前記可動軸受部の中心と前記カム部の中心とが重なるとともに、前記可動軸受部の中心及び前記カム部の中心と、前記軸部の中心とが、前記シリンダの軸方向に略垂直に並んだ第２状態までの間で、前記カム軸を回転させ、圧縮比を前記第１状態における圧縮比である第１圧縮比と前記第２状態における圧縮比である第２圧縮比の間で制御する第１制御手段と、
前記第２状態から、圧縮比を前記第２圧縮比に維持しつつ、前記カム軸を、前記可動軸受部の中心と前記カム部の中心の中心とが重なったまま、前記第１状態となるべき回転方向と逆方向にさらに回転させる第２制御手段と、
を備えたことを特徴とする可変圧縮比内燃機関。
【請求項２】
前記第２制御手段は、前記カム軸が前記第２状態から、前記第１状態となるべき回転方向と逆方向に回転した場合に、前記シリンダブロックと前記クランクケースとのさらなる接近または離反を禁止する禁止手段を有することを特徴とする請求項１に記載の可変圧縮比内燃機関。
【請求項３】
前記第１圧縮比は前記可変圧縮比内燃機関の可変圧縮比範囲の最低圧縮比であり、前記第２圧縮比は、前記可変圧縮比範囲の最高圧縮比であることを特徴とする請求項１または２に記載の可変圧縮比内燃機関。
【請求項４】
前記第１圧縮比は前記可変圧縮比内燃機関の可変圧縮比範囲の最高圧縮比であり、前記第２圧縮比は、前記可変圧縮比範囲の最低圧縮比であることを特徴とする請求項１または２に記載の可変圧縮比内燃機関。
【請求項５】
圧縮比を変更する際の目標圧縮比が前記第２圧縮比である場合には、前記第１制御手段によって前記カム軸を前記第２状態として圧縮比を前記第２圧縮比とするとともに、前記第２制御手段によって、前記カム軸を、前記第２状態から前記第１状態となるべき回転方向と逆方向にさらに略９０度回転させることを特徴とする請求項１から４のいずれかに記
載の可変圧縮比内燃機関。
【請求項６】
前記可変圧縮比内燃機関がアイドル状態であり、且つ圧縮比が前記第２圧縮比である場合には、前記第２制御手段によって、前記カム軸を、前記第２状態から前記第１状態となるべき回転方向と逆方向にさらに略９０度回転した状態とすることを特徴とする請求項１から４のいずれかに記載の可変圧縮比内燃機関。
【請求項７】
前記可変圧縮比内燃機関の運転状態が所定の第２圧縮比領域に属する場合に、目標圧縮比を前記第２圧縮比とし、前記運転状態が、所定の第２圧縮比領域の他の圧縮比領域に属する場合に前記圧縮比を第２圧縮比から変更させ、
前記目標圧縮比が前記第２圧縮比である場合には、前記第１制御手段によって前記カム軸を前記第２状態として圧縮比を前記第２圧縮比とするとともに、前記第２制御手段によって、前記カム軸を、前記第２状態から前記第１状態となるべき回転方向と逆方向にさらに回転させた第３状態とし、
前記第２制御手段は、前記運転状態が前記第２圧縮比領域において前記他の圧縮比領域との境界に近いほど、前記カム軸の前記第３状態における角度を前記第２状態における角度に近づけることを特徴とする請求項１から４のいずれかに記載の可変圧縮比内燃機関。
【請求項８】
前記可変圧縮比内燃機関の運転状態が所定の第２圧縮比領域に属する場合に、目標圧縮比を前記第２圧縮比とし、前記運転状態が、所定の第２圧縮比領域の他の圧縮比領域に属する場合に前記圧縮比を第２圧縮比から変更させ、
前記目標圧縮比が前記第２圧縮比である場合には、前記第１制御手段によって前記カム軸を前記第２状態として圧縮比を前記第２圧縮比とするとともに、前記第２制御手段によって、前記カム軸を、前記第２状態から前記第１状態となるべき回転方向と逆方向にさらに回転させた第３状態とし、
前記第２制御手段は、前記運転状態が前記第２圧縮比領域に属する場合において前記運転状態の変化速度が大きいほど、前記第３状態における前記カム軸の角度を前記第２状態における角度に近づけることを特徴とする請求項１から４のいずれかに記載の可変圧縮比内燃機関。
【請求項９】
前記運転状態の変化速度は前記可変圧縮比内燃機関の機関負荷および／または機関回転数に基づいて取得されることを特徴とする請求項８に記載の可変圧縮比内燃機関。
【発明の詳細な説明】
【技術分野】
【０００１】
本発明は、内燃機関の気筒内における燃焼室の容積を変更することによって前記内燃機関の圧縮比を変更する可変圧縮比内燃機関に関する。特に、軸部と、前記軸部に固定されているカム部とからなるとともに前記軸部に対して回転可能に取り付けられた可動軸受部を有するカム軸を備え、該カム軸を回転させることにより、シリンダブロックとクランクケースとを相対的に接近または離反させる可変圧縮比内燃機関に関する。
【背景技術】
【０００２】
近年、内燃機関の燃費性能や出力性能などを向上させることを目的とした、内燃機関の圧縮比を可変にする技術が提案されている。この種の技術としては、シリンダブロックとクランクケースとを相対移動可能に連結するとともにその連結部分にカム軸を設け、前記カム軸を回転させてシリンダブロックとクランクケースとを、気筒の軸線方向に相対移動させることで燃焼室の容積を変更し、以て内燃機関の圧縮比を変更する技術が提案されている（例えば、特許文献１を参照。）。
【０００３】
上記の技術においては、前記カム軸における軸部の中心と可動軸受部の軸受収納孔における回転中心とを結んだ線分である可動軸受作用線分の長さは、前記カム軸における軸部の中心とカム部のカム収納孔における回転中心とを結んだ線分であるカム作用線分の長さと同等であることが多い。
【０００４】
そのような構成の場合、前記内燃機関の圧縮比を変更した際の前記可動軸受作用線分及び前記カム作用線分の姿勢によっては、内燃機関の燃焼圧などに起因してシリンダブロックとクランクケースとの間を離反させる方向にかかる力が、前記可動軸受作用線と前記カム作用線の方向に対して増幅されて作用する場合があった。そうすると、カム軸自身あるいは、シリンダブロックまたはクランクケースにおいてカム軸と係合している部分の燃焼圧による変形が増大し、内燃機関の振動が大きくなるおそれがあった。
【特許文献１】特開２００３−２０６７７１号公報
【特許文献２】特開２００５−１１３８３９号公報
【発明の開示】
【発明が解決しようとする課題】
【０００５】
本発明は、上記従来技術に鑑みてなされたものであり、その目的とするところは、圧縮比に拘らず可変圧縮比内燃機関の振動を抑制することができる技術を提供することである。
【課題を解決するための手段】
【０００６】
上記目的を達成するための本発明は、内燃機関におけるクランク軸が組み付けられたクランクケースと、
前記内燃機関におけるシリンダが形成されるとともに、前記クランクケースに相対移動可能に取り付けられたシリンダブロックと、
前記シリンダブロックにおけるシリンダの両側方に平行に配置されて互いに逆方向に回転する一対のカム軸と、を備え、
前記カム軸は、軸部と、前記軸部に固定されているカム部とからなるとともに、前記軸部に対して回転可能に取り付けられた可動軸受部を有し、前記カム部が、前記シリンダブロック又は前記クランクケースの一方に形成されたカム収納孔に回転可能に収納されると共に、前記可動軸受部が、前記シリンダブロック又は前記クランクケースの他方に形成された軸受収納孔に回転可能に収納されており、
前記軸部は円柱形の外形を有し、
前記カム部は前記軸部の中心に対して偏心し、前記軸部より径の大きい円形のカムプロフィールを有するとともに、前記カム収納孔は前記カム部と同一の円形の孔形状を有し、
前記可動軸受部は前記軸部の中心に対して偏心し、前記カム部と同一の円形の外径を有するとともに、前記軸受収納孔は前記可動軸受部と同一の円形の孔形状を有し、
前記カム軸を回転させて、前記クランクケースと前記シリンダブロックとを、相対的に接近または離反させることにより、前記内燃機関の圧縮比を変更する可変圧縮比内燃機関であって、
前記カム軸における前記可動軸受部の中心、前記軸部の中心及び前記カム部の中心が、前記カム軸の軸線方向から見て、該順番で前記シリンダの軸方向に略平行に略一直線上に並んだ第１状態から、前記カム軸を該第１状態より略９０度回転させることによって、前記カム軸の軸線方向から見て、前記可動軸受部の中心と前記カム部の中心とが重なるとともに、前記可動軸受部の中心及び前記カム部の中心と、前記軸部の中心とが、前記シリンダの軸方向に略垂直に並んだ第２状態までの間で、前記カム軸を回転させ、圧縮比を前記第１状態における圧縮比である第１圧縮比と前記第２状態における圧縮比である第２圧縮比の間で制御する第１制御手段と、
前記第２状態から、圧縮比を前記第２圧縮比に維持しつつ、前記カム軸を、前記可動軸受部の中心と前記カム部の中心の中心とが重なったまま、前記第１状態となるべき回転方向と逆方向にさらに回転させる第２制御手段と、
を備えたことを特徴とする。
【０００７】
ここで、本発明における可変圧縮比内燃機関には、軸部と軸部に固定されているカム部とからなるとともに、軸部に対して回転可能に取り付けられた可動軸受部を有するカム軸が備えられる。そして、該カム軸を回転させることにより、カム部と可動軸受部とを前記軸部中心に対して回転移動させ、この回転移動を利用してシリンダブロックとクランクケースとを接近または離反させる。
【０００８】
そして、第１状態から第２状態へとカム軸の状態を変化させることにより、圧縮比が上昇する場合を考えると、カム軸とシリンダブロック及びクランクケースとの関係は以下のようになる。すなわち、シリンダブロックとクランクケースとが離反した状態である第１状態においては、カム軸における可動軸受部の中心、軸部の中心及びカム部の中心が、該順番で前記シリンダの軸方向に略平行に略一直線上に並ぶ。一方、シリンダブロックとクランクケースとが接近した状態である第２状態においては、可動軸受部の中心とカム部の中心とが重なるとともに、可動軸受部の中心及びカム部の中心と、軸部の中心とが、シリンダの軸方向に略垂直に並ぶ。
【０００９】
すなわち、上記のような可変圧縮比内燃機関においては、カム軸を回転させて圧縮比を変更させる際の、軸部の中心と可動軸受部の中心とを結んだ線分（以下、「可動軸受作用線分」という。）及び軸部の中心と可動軸受部の中心とを結んだ線分（以下、「カム作用線分」という。）のシリンダ軸線に対する角度は、カム軸における前記第１状態においては０度付近、前記第２状態においては９０度付近となる。
【００１０】
そうすると、内燃機関の燃焼圧に起因した負荷がシリンダブロックとクランクケースとを離反させる方向に作用した場合に、特に前記第２状態においては、燃焼圧に起因する負荷がカム軸に作用する際の作用線に対する、可動軸受作用線分及びカム作用線分の角度が約９０度になるために、燃焼圧に起因する負荷が可動軸受作用線分及びカム作用線分の方向に力学的に増幅されて作用してしまう場合があった。
【００１１】
そうすると、カム軸や、シリンダブロックやクランクケースにおいてカム軸と係合している部分における振動の原因となる場合があった。特に可動軸受部については、構造上、
前記第２状態において軸受収納孔における回転のアソビが大きくなるので、上記振動が生じ易くなるとともに圧縮比の制御精度の維持が困難となる場合があった。
【００１２】
そこで、本発明においては、前記第１状態から前記第２状態までの間で、前記カム軸を回転させて圧縮比を制御する第１制御手段に加えて、前記第２状態における圧縮比を維持しつつ、すなわち前記シリンダブロックと前記クランクケースとの相対位置を維持しつつ、さらにカム軸を回転させる第２制御手段と、を備えることとした。
【００１３】
そうすれば、前記可変圧縮比内燃機関の圧縮比を前記第２圧縮比とする場合には、前記第１制御手段によって前記カム軸を前記第２状態とした後、さらに前記第２制御手段によって前記カム軸を回転させることにより、前記可動軸受作用線分及びカム作用線分とシリンダの軸線との角度を９０度から遠ざけることができる。その結果、燃焼圧に起因する負荷が前記可動軸受作用線分及びカム作用線分の方向に増幅されて作用することを抑制でき、可変圧縮比内燃機関における振動を抑制することができる。
【００１４】
なお、上述の可変圧縮比内燃機関において、前記第２制御手段は、前記カム軸が前記第２状態から、前記第１状態となるべき回転方向と逆方向に回転した場合に、前記シリンダブロックと前記クランクケースとのさらなる接近または離反を禁止する禁止手段を有するようにしてもよい。
【００１５】
そうすると、前記第２制御手段が、前記第２状態からさらにカム軸を、前記第１状態となるべき回転方向と逆方向に回転させた場合には、それ以上前記シリンダブロックと前記クランクケースとは相対移動しない。その場合、前記カム軸が回転した際に、自動的に前記可動軸受部の中心と前記カム部の中心とが重なったまま、前記軸受収納孔及びカム収納孔の内部においてあたかも一本の軸のように空回りを起すこととなる。
【００１６】
それにより、前記第２制御手段は簡単な構成によって、圧縮比を前記第２圧縮比に維持しつつ、前記カム軸を、前記可動軸受部の中心と前記カム部の中心の中心とが重なったまま、前記第２状態から更に回転させることができる。
【００１７】
ここで、前記禁止手段とは、前記シリンダブロックとクランクケースとを、前記第２状態において当接させ、両者のさらなる接近を禁止するストッパ構造であってもよい。あるいは、内燃機関の燃焼圧を両者に作用させることによって、さらなる接近を禁止する手段であってもよい。
【００１８】
ここで、本発明においては、前述のように、前記第１圧縮比は前記可変圧縮比内燃機関の可変圧縮比範囲の最低圧縮比であり、前記第２圧縮比は、前記可変圧縮比範囲の最高圧縮比であるようにしてもよい。そうすれば、最も大きい燃焼圧が作用する最高圧縮比の状態において、前記可動軸受作用線分及びカム作用線分とシリンダの軸線との角度が９０度付近となったままになることを抑制でき、より効果的に可変圧縮比内燃機関における振動を抑制することができる。
【００１９】
また、前記第１圧縮比は前記可変圧縮比内燃機関の可変圧縮比範囲の最高圧縮比であり、前記第２圧縮比は、前記可変圧縮比範囲の最低圧縮比であるようにしてもよい。この場合は、前記第１状態において前記シリンダブロックと前記クランクケースとが最も接近し、前記第２状態において最も離反するように設定した場合である。このような場合に本発明を適用することによっても、最低圧縮比の状態において、前記可動軸受作用線分及びカム作用線分とシリンダの軸線との角度が９０度付近となったままになることを抑制でき、可変圧縮比内燃機関における振動を抑制することができる。
【００２０】
また、本発明においては、圧縮比を変更する際の目標圧縮比が前記第２圧縮比である場合には、前記第１制御手段によって前記カム軸を前記第２状態として圧縮比を前記第２圧縮比とするとともに、前記第２制御手段によって、前記カム軸を、前記第２状態から前記第１状態となるべき回転方向と逆方向にさらに略９０度回転させるようにしてもよい。
【００２１】
この場合は、可変圧縮比内燃機関における目標圧縮比が第２圧縮比、すなわち、前記可動軸受作用線分と前記カム作用線分とがシリンダの軸線方向に対して９０度となる前記第２状態における圧縮比である場合には、前記カム軸を前記第２状態とするだけではなく、前記第２制御手段によってさらに第１状態と反対方向に略９０度回転させる。
【００２２】
その結果、圧縮比を前記第２圧縮比に維持しながら、前記可動軸受作用線分と前記カム作用線分とがシリンダの軸線方向に対して略平行な状態にすることができる。そうすれば、燃焼圧に起因する負荷が前記可動軸受作用線分と前記カム作用線分との方向に増幅されて作用することを抑制できる。その結果、可変圧縮比内燃機関における振動を抑制することができる。
【００２３】
また、本発明においては、前記可変圧縮比内燃機関がアイドル状態であり、且つ圧縮比が前記第２圧縮比である場合には、前記第２制御手段によって、前記カム軸を、前記第２状態から前記第１状態となるべき回転方向と逆方向にさらに略９０度回転した状態とするようにしてもよい。
【００２４】
ここで、可変圧縮比内燃機関においては、圧縮比の変更制御にはある程度以上の迅速性が要求される。特に、比較的高圧縮比の状態においてノッキングを生じ易い状態となった場合には、迅速に圧縮比を低下させる必要がある。
【００２５】
一方、前記可変圧縮比内燃機関がアイドル状態である場合には、該可変圧縮比内燃機関が搭載された車両が停車中である場合が多い。この状態においては、前記可変圧縮比内燃機関の運転状態が急激に変化する可能性は少なく、目標圧縮比が緊急に変化する可能性は少ないと言える。従って、このような場合には、前記第２制御手段によって、前記カム軸を、前記第２状態から前記第１状態となるべき回転方向と逆方向にさらに略９０度回転させておいても、そのことがそれ以降の圧縮比の迅速な制御に影響を及ぼす可能性は低い。従って、本発明によれば、圧縮比の制御性に影響を及ぼすことなく、前記可変圧縮比内燃機関における振動をより確実に抑制することができる。
【００２６】
また、本発明においては、前記可変圧縮比内燃機関の運転状態が所定の第２圧縮比領域に属する場合に、目標圧縮比を前記第２圧縮比とし、前記運転状態が、所定の第２圧縮比領域の他の圧縮比領域に属する場合に前記圧縮比を第２圧縮比から変更させ、
前記目標圧縮比が前記第２圧縮比である場合には、前記第１制御手段によって前記カム軸を前記第２状態として圧縮比を前記第２圧縮比とするとともに、前記第２制御手段によって、前記カム軸を、前記第２状態から前記第１状態となるべき回転方向と逆方向にさらに回転させた第３状態とし、
前記第２制御手段は、前記運転状態が前記第２圧縮比領域において前記他の圧縮比領域との境界に近いほど、前記カム軸の前記第３状態における角度を前記第２状態における角度に近づけるようにしてもよい。
【００２７】
ここで、可変圧縮比内燃機関においては、運転状態が所定領域に属している状態においては、圧縮比をその運転状態に適応した圧縮比に固定する制御が行われる。例えば、運転状態が所定の第２圧縮比領域に属する場合には、圧縮比は第２圧縮比に固定される。
【００２８】
また、本発明では、圧縮比を前記第２圧縮比に固定する際には、前記第２制御手段によ
って前記カム軸を、前記第２状態から前記第１状態となるべき回転方向と逆方向にさらに回転させた第３状態とする。そうすることによって、可動軸受作用線分とカム作用線分の方向に燃焼圧に起因する負荷が増幅して作用することを抑制する。
【００２９】
しかし、その場合、例えば圧縮比を前記第２圧縮比から前記第１圧縮比に変更したいときに、まず前記第３状態から前記第２制御手段によってカム軸を回転させ、カム軸を第２状態とし、さらに前記第１制御手段によってカム軸を回転させ、カム軸を第２状態から第１状態とする必要がある。そうすると、圧縮比の迅速な変更が困難となる場合がある。また、この際、第３状態におけるカム軸の角度が第２状態におけるカム軸の角度から大きくずれている方が、圧縮比の迅速な変更がより困難となる。
【００３０】
そこで、本発明においては、前記第２制御手段は、前記運転状態が前記第２圧縮比領域において前記他の圧縮比領域との境界に近いほど、前記第３状態におけるカム軸の角度を前記第２状態における角度に近づけるようにしている。
【００３１】
そうすれば、可変圧縮比内燃機関の運転状態が第２圧縮比領域から他の圧縮比領域に移行する可能性が高くなるほど、前記第３状態におけるカム軸の角度を前記第２状態における角度に近づけることができる。その結果、運転状態が変化して圧縮比を第２圧縮比から変更する必要が生じた場合により迅速な圧縮比の制御が可能となる。
【００３２】
また、本発明においては、前記可変圧縮比内燃機関の運転状態が所定の第２圧縮比領域に属する場合に、目標圧縮比を前記第２圧縮比とし、前記運転状態が、所定の第２圧縮比領域の他の圧縮比領域に属する場合に前記圧縮比を第２圧縮比から変更させ、
前記目標圧縮比が前記第２圧縮比である場合には、前記第１制御手段によって前記カム軸を前記第２状態として圧縮比を前記第２圧縮比とするとともに、前記第２制御手段によって、前記カム軸を、前記第２状態から前記第１状態となるべき回転方向と逆方向にさらに回転させた第３状態とし、
前記第２制御手段は、前記運転状態が前記第２圧縮比領域に属する場合において前記運転状態の変化速度が大きいほど、前記第３状態における前記カム軸の角度を前記第２状態における角度に近づけるようにしてもよい。
【００３３】
ここで前述のように、本発明における可変圧縮比内燃機関においては、運転状態が第２圧縮比領域に属する場合には、圧縮比は第２圧縮比に固定される。そして、その際、第２制御手段によって前記カム軸を、前記第２状態からさらに回転させて第３状態とする。そして、その場合、例えば圧縮比を第２圧縮比から第１圧縮比に変更したいときに、圧縮比の迅速な変更が困難となる場合があることは前述のとおりである。
【００３４】
一方、運転状態が前記第２圧縮比領域に属する場合において前記運転状態の変化速度が大きいほど、運転状態が直近に前記第２圧縮比領域から他の領域に移行する可能性が高いと考えられる。
【００３５】
そこで、本発明においては、前記第２制御手段は、運転状態が前記第２圧縮比領域に属する場合において前記運転状態の変化速度が大きいほど、前記第３状態におけるカム軸の角度を前記第２状態における角度に近づけるようにしている。
【００３６】
そうすれば、可変圧縮比内燃機関の運転状態が第２圧縮比領域から他の圧縮比領域に移行する可能性が高くなるほど、前記第３状態におけるカム軸の角度を前記第２状態における角度に近づけることができる。その結果、運転状態が変化して圧縮比を第２圧縮比から変更する必要が生じた場合により迅速な圧縮比の制御が可能となる。
【００３７】
また、本発明においては、前記運転状態の変化速度は前記可変圧縮比内燃機関の機関負荷および／または機関回転数に基づいて取得されるようにしてもよい。そうすれば、より正確に前記運転状態の変化速度を取得することができる。
【００３８】
なお、上記した本発明の課題を解決する手段については、可能なかぎり組み合わせて用いることができる。
【発明の効果】
【００３９】
本発明にあっては、圧縮比に拘らず可変圧縮比内燃機関の振動を抑制することができる。
【発明を実施するための最良の形態】
【００４０】
以下に図面を参照して、この発明を実施するための最良の形態を例示的に詳しく説明する。
【実施例１】
【００４１】
以下に説明する内燃機関１は、可変圧縮比内燃機関であり、シリンダ２を有するシリンダブロック３を、ピストンが連結されたクランクケース４に対してシリンダ２の中心軸方向に移動させることによって圧縮比を変更するものである。
【００４２】
先ず、図１を用いて、本実施例において圧縮比を変更するための構成について説明する。図１に示されるように、シリンダブロック３の両側下部に複数の隆起部が形成されており、この各隆起部に軸受収納孔５が形成されている。軸受収納孔５は、円形をしており、シリンダ２の軸方向に対して直角に、かつ複数のシリンダ２の配列方向に平行になるようにそれぞれ形成されている。軸受収納孔５はすべて同一軸線上に位置している。そして、シリンダブロック３の両側の軸受収納孔５の一対の軸線は平行である。
【００４３】
クランクケース４には、上述した軸受収納孔５が形成された複数の隆起部の間に位置するように、立壁部が形成されている。各立壁部のクランクケース４外側に向けられた表面には、半円形の凹部が形成されている。また、各立壁部には、ボルト６によって取り付けられるキャップ７が用意されており、キャップ７も半円形の凹部を有している。また、各立壁部にキャップ７を取り付けると、円形のカム収納孔８が形成される。
【００４４】
複数のカム収納孔８は、軸受収納孔５と同様に、シリンダブロック３をクランクケース４に取り付けたときにシリンダ２の軸方向に対して直角に、且つ、複数のシリンダ２の配列方向に平行になるようにそれぞれ形成されている。これらの複数のカム収納孔８も、シリンダブロック３の両側に形成されることとなり、片側の複数のカム収納孔８はすべて同一軸線上に位置している。そして、シリンダブロック３の両側のカム収納孔８の一対の軸線は平行である。また、両側の軸受収納孔５の中心間の距離と、両側のカム収納孔８の中心間の距離とは同一である。
【００４５】
交互に配置される二列の軸受収納孔５とカム収納孔８には、それぞれカム軸９が挿通される。カム軸９は、図１に示されるように、軸部９ａと、軸部９ａの中心軸に対して偏心された状態で軸部９ａに固定された正円形のカムプロフィールを有するカム部９ｂと、同じく正円形の外形を有し軸部９ａに対して回転可能に取り付けられた可動軸受部９ｃとを有し、カム部９ｂと可動軸受部９ｃとが交互に配置されている。一対のカム軸９は鏡像の関係を有している。また、カム軸９の端部には、後述するギア１０の取り付け部９ｄが形成されている。軸部９ａの中心軸と取り付け部９ｄの中心とは偏心しており、カム部９ｂの中心と取り付け部９ｄの中心とは一致している。
【００４６】
可動軸受部９ｃも、軸部９ａに対して偏心されている。また、各カム軸９において、複数のカム部９ｂの偏心方向は同一である。
【００４７】
各カム軸９の一端にはギア１０が取り付けられている。一対のカム軸９の端部に固定された一対のギア１０には、それぞれウォームギア１１ａ、１１ｂがかみ合っている。ウォームギア１１ａ、１１ｂは単一のモータ１２の一本の出力軸にとりつけられている。ウォームギア１１ａ、１１ｂは、互いに逆方向に回転する螺旋溝を有している。このため、モータ１２を回転させると、一対のカム軸９は、ギア１０を介して互いに逆方向に回転する。モータ１２は、クランクケース４に固定されている。
【００４８】
ここで、本実施例における可変圧縮比内燃機関では、カム軸９における軸部９ａの中心とカム部９ｂの中心とを結んだ線分Ｌ１の長さと、軸部９ａの中心と可動軸受部９ｃの中心とを結んだ線分Ｌ２の長さとは等しく設定されている。そして、このような構成において、従来は、圧縮比の可変範囲における最低圧縮比から最高圧縮比への変更は以下の図２及び図４（ａ）に示すように行われていた。
【００４９】
図２（ａ）から図２（ｃ）には、シリンダブロック３と、クランクケース４と、これら両者の間に構築されたカム軸９の動作との関係を示した断面図を示す。また、図４（ａ）には、カム軸９の回転角の変化に応じた、線分Ｌ１及びＬ２の動きについて示す。図２(
ａ)から図２(ｃ)及び図４（ａ）において、軸部９ａの中心をａ、カム部９ｂの中心をｂ
、可動軸受部９ｃの中心をｃとして示す。図２（ａ）は、圧縮比の可変範囲の最低圧縮比の状態を示している。この状態においては、可動軸受部９ｃの中心ｃ、軸部９ａの中心軸ａ、カム部９ｂの中心ｂが図２（ａ）の上側からこの順番で一直線状に並んでいる。この状態では、図４（ａ）におけるカム軸回転角が０度の状態に示すとおり、線分Ｌ１及びＬ２は軸部９ａの中心ａを挟んでシリンダ２の軸方向に平行に配置されている。
【００５０】
図２(ａ)の状態から、モータ１２を駆動して軸部９ａを矢印方向に回転させると、図２(ｂ)の状態となる。このとき、線分Ｌ１及びＬ２がシリンダ２の軸方向に対して傾き、線分Ｌ１とＬ２の間の角度が小さくなるので、クランクケース４に対してシリンダブロック３を接近させることができる。
【００５１】
さらにモータ１２を駆動して軸部９ａを矢印方向に回転させると、図２（ｃ）の状態となる。この状態は圧縮比の可変範囲の最高圧縮比を示している。この状態においては、図４（ａ）におけるカム軸回転角が９０度の状態に示すとおり、Ｌ１とＬ２はシリンダ２の軸方向と垂直の方向に重なっており、このとき、一対の軸部９ａは、軸受収納孔５及びカム収納孔８の中で外側に位置している。
【００５２】
以上のように、従来の可変圧縮比制御では、圧縮比の可変範囲における最低圧縮比においては、線分Ｌ１とＬ２がともにシリンダ２の軸方向に平行となり、図２（ａ）及び図４（ａ）における上側から、可動軸受部９ｃの中心ｃ、軸部９ａの中心ａ、カム部９ｂの中心ｂがこの順番で直線状に並んでいた。そして、カム軸９が回転することにより線分Ｌ１、Ｌ２が互いに反対方向に回転し、カム軸９が最低圧縮比の状態から９０度回転した状態において、線分Ｌ1、Ｌ２はともにシリンダ２の軸方向に対して９０度の傾きを有して重
なり、この状態が最高圧縮比となった。
【００５３】
ここで、上述した従来の可変圧縮比制御における最高圧縮比の状態について考える。この状態においては、前述のように、カム軸９における軸部９ａの中心ａとカム部９ｂの中心ｂとを結んだ線分Ｌ１と、軸部９ａの中心ａと可動軸受部９ｃの中心ｃとを結んだ線分Ｌ２とは、シリンダ２の軸方向に９０度の角度を有している。一方、内燃機関１の燃焼圧に起因してシリンダブロック３とクランクケース４とを離反させる方向に働く負荷は、シ
リンダ２の軸方向と平行な方向に作用する。
【００５４】
そうすると、内燃機関１の燃焼圧に起因する負荷は、線分Ｌ１、Ｌ２方向に大幅に増幅されてしまう。従って、最高圧縮比の状態においては、カム軸９と、シリンダブロック３及びクランクケース４においてカム軸９と係合している部分とに、周期的な大きな負荷が作用することとなる。その結果、カム軸９付近において内燃機関１の振動が大きくなるおそれがある。特に可動軸受部９ｃは軸部９ａに対して回転可能であり、且つシリンダブロック３に対しても回転可能な状態なので、より振動が生じ易い。
【００５５】
また、この状態においては、シリンダブロック３とクランクケース４の、シリンダ２の軸と垂直方向のクリアランスに起因して可動軸受部９ｃの回転方向のアソビが大きくなるので、カム軸９の回転に対する圧縮比の追従性が悪化し、圧縮比の制御性が悪化するおそれがあった。
【００５６】
さらに、この状態においては、線分Ｌ１及びＬ２のシリンダ２の軸方向に対する角度が９０度より小さい場合と比較して、同じ負荷がシリンダブロック３とクランクケース４とを接近または離反させる方向に働いた場合にカム軸９に作用するトルクが大きくなる。すなわち、この状態で圧縮比を保持させるために必要なトルクが増大する傾向があった。同様に、この状態から圧縮比を変更する際に必要なトルクも増大する傾向があった。
【００５７】
これに対し、本実施例においては、内燃機関１の圧縮比を最高圧縮比に制御する場合には、カム軸９の回転角を９０度とした図２（ｃ）の状態から、カム軸９をさらに９０度回転させて回転角を１８０度とすることにした。ここで、カム軸９の回転角を９０度からさらに９０度回転させた場合のカム軸９及び、シリンダブロック３、クランクケース４の動作について説明する。なお、シリンダブロック３とクランクケース４との間には、カム軸９の回転角が９０度である最高圧縮比の状態から更に両者が接近することを禁止するストッパ１４が設けられている。従って、カム軸９の回転角を９０度からさらに９０度回転させた場合にも、シリンダブロック３とクランクケース４とはそれ以上接近しない。
【００５８】
図３は、本実施例においてカム軸９を図２（ｃ）の状態からさらに回転させた場合の、シリンダブロック３と、クランクケース４と、これら両者の間に構築されたカム軸９の動作との関係を示した断面図である。また、図４（ｂ）にはその際の線分Ｌ１及びＬ２の動きについて示す。
【００５９】
図３（ａ）の状態は、圧縮比の可変範囲の最高圧縮比の状態であり、図２（ｃ）の状態と同じ状態である。この状態からカム軸９をさらに矢印の方向に回転した場合、前述のようにシリンダブロック３とクランクケース４とがこれ以上接近しないために、カム軸９におけるカム部９ｂと可動軸受部９ｃとがカム軸９の軸方向から見て重なった状態を維持しながら、カム軸９が軸受収納孔５及びカム収納孔８の内部を回転する。
【００６０】
そして、図３（ａ）の状態すなわち、図４（ｂ）における回転角が９０度の状態からカム軸９を９０度回転させることにより、図３（ｂ）または図４（ｂ）における回転角が１８０度の状態となる。この状態においては、図４（ｂ）に示すように線分Ｌ１及び線分Ｌ２がシリンダ２の軸線と平行となっている。そうすると、燃焼圧に起因する負荷が線分Ｌ１及び線分Ｌ２の方向に増幅して作用することを抑制することができる。その結果、内燃機関１における振動を抑制することができる。また、カム軸９に燃焼圧に起因する大きなトルクが作用することを抑制できる。
【００６１】
なお、上記において図２（ａ）の状態は本実施例における第１状態に相当する。そして、その際の圧縮比である最低圧縮比は本実施例における第１圧縮比に相当する。また、図
２（ｃ）及び図３（ａ）の状態は本実施例における第２状態に相当する。そして、その際の圧縮比である最高圧縮比は本実施例における第２圧縮比に相当する。さらに、本実施例における第１制御手段は、内燃機関１を図２（ａ）の状態から図２（ｃ）の状態に移行させるカム軸９を含んで構成される。
【００６２】
また、本実施例における第２制御手段は、内燃機関１を図３（ａ）の状態から図３（ｂ）の状態に移行させるカム軸９を含んで構成され、ストッパ１４は禁止手段に相当する。
【００６３】
図５には、内燃機関１におけるカム軸９、シリンダブロック３及びクランクケース４が図２（ａ）の状態から図２(ｃ)及び図３（ａ）の状態を経て図３（ｂ）の状態となる際のシリンダブロック３のクランクケース４に対する相対的な位置の変化について示す。図５において横軸はカム軸９の回転角、縦軸はシリンダブロック３のクランクケース４に対する相対的な位置である。図４に示すように、カム軸９の回転角が０度の状態においては、シリンダブロック３がクランクケース４に対して最も離反した状態であり、この状態の圧縮比が可変圧縮比範囲の最低圧縮比である。
【００６４】
そして、その状態からカム軸９が回転するに従い、シリンダブロック３とクランクケース４とが接近し、カム軸９の回転角が９０度においてシリンダブロック３とクランクケース４とが最も接近する。この状態における圧縮比が可変圧縮比範囲の最高圧縮比である。
【００６５】
カム軸９の回転角が９０度の状態からさらにカム軸９を回転させた場合、シリンダブロック３とクランクケース４とはストッパ１４に当接しているので、これ以上接近せず、カム軸９が軸受収納孔５及びカム収納孔８の中で空回りする。そして、カム軸９の回転角が１８０度となり、線分Ｌ１及び線分Ｌ２がシリンダ２の軸線に平行な状態となっても、シリンダブロック３とクランクケース４との距離は、カム軸９の回転角が９０度である場合の距離を維持する。
【００６６】
ここで、図５を見ても分かるようにカム軸９の回転角が９０度付近である場合は、カム軸９の回転角の変化に対する、シリンダブロック３のクランクケース４に対する相対位置の変化量が大きくなる。またその場合には、前述のようにカム軸９に作用するトルク及び負荷が大きくなる。これに対し、９０度付近のカム軸の回転角、例えば８５度から１２０度の回転角範囲の使用頻度を低くし、カム軸９の回転角が９０度付近となる状態を長時間続けない制御を行ってもよい。その場合、目標圧縮比に対応するカム軸９の回転角が８８度のときには、カム軸９の回転角は８８度でなく８５度としてもよい。一方、目標圧縮比が最高圧縮比である場合には、カム軸９の回転角は前述のように１８０度としてもよい。また、９０度から充分遠い角度であり１８０度より小さい角度でもよい。
【００６７】
またここで、図１に示したように、上記の説明においてはギア１０として円形のものを使用している。これに対し本実施例においては、図６に示すような、不要部分を切欠いた形状のギアを用いてもよい。その場合は、図６に示すように、ウォームギア１１ａ、１１ｂとの噛み合い角が６０度だとすると、圧縮比変更のための回転しろが９０度、最高圧縮比からさらに線分Ｌ１及びＬ２がシリンダ２の軸方向と平行になるまで回転させるための回転しろが９０度必要となる。従って、切り欠いた部分の角度は１２０度となる。
【実施例２】
【００６８】
次に本発明における実施例２について説明する。本実施例においては、可変圧縮比制御における圧縮比が最高圧縮比である状態を維持しつつ、内燃機関１の運転状態に応じてカム軸９の回転角を変化させる制御について説明する。
【００６９】
ここで、内燃機関１における圧縮比の目標値はその運転状態に応じて定められる。例え
ば各運転状態においてノッキングが生じない範囲で最も高い圧縮比が目標値とされる。その場合、目標値が最高圧縮比となる運転状態の領域が存在する（以下「最高圧縮比領域」という。）。
【００７０】
内燃機関１の運転状態が最高圧縮比領域に属する場合には、最高圧縮比が圧縮比の目標値とされる。その場合、実施例１で示した制御においては、カム軸９は回転角１８０度とされる場合がある。そうすると、それ以降に内燃機関１の運転状態が最高圧縮比領域から外れた場合には、カム軸９を回転角１８０度の状態から９０度の状態に一旦回転させ、さらにその時点における運転状態に応じた圧縮比に対応する回転角までカム軸９を回転させる必要がある。それにより、圧縮比を最高圧縮比からより低い圧縮比まで変更させるまでに必要な時間が長くなり、迅速な圧縮比の変更が困難となる場合があった。その結果、ノッキングの発生を充分に抑制することができないことも考えられる。
【００７１】
そこで、本実施例においては、内燃機関１の運転状態における最高圧縮比領域を複数の領域に分割し、内燃機関１の運転状態が、最高圧縮比領域において他の運転状態の領域との境界に近いほど、カム軸９の回転角を９０度に近づけることにした。
【００７２】
図７には、本実施例における内燃機関１の運転状態とカム軸９の回転角との関係のグラフを示す。図７に示すように、内燃機関１が取りうる運転状態のうちの低負荷側の領域においては、圧縮比の目標値が最高圧縮比とされる。この領域が前述の最高圧縮比領域である。そして、機関負荷が最高圧縮比領域の境界を超えて高負荷となった場合には、圧縮比の目標値はノッキングの発生を抑制するためにより低い圧縮比とされる。
【００７３】
そして、図７に示すように、本実施例においては、最高圧縮比領域をさらに第１領域から第３領域の３つの領域に分割している。最も機関負荷が低い領域である第１領域においてはカム軸９の回転角は１８０度、それより若干機関負荷が高い領域である第２領域においてはカム軸９の回転角は１５０度、さらに機関負荷が高い領域である第３領域においてはカム軸９の回転角は１２０度としている。すなわち、内燃機関１の運転状態が最高圧縮比領域に属する場合において、内燃機関１の運転状態が最高圧縮比領域と他の運転領域との境界に近いほど、カム軸９の回転角を９０度に近づけることとした。
【００７４】
そうすれば、目標圧縮比が最高圧縮比より小さい圧縮比となる確率が高いほど、カム軸９の回転角を９０度に近づけることができ、より迅速に圧縮比を最高圧縮比より低い目標圧縮比に変更することができる。その結果、実際の圧縮比の目標圧縮比への追従性を向上させることができる。
【００７５】
なお、上記において、カム軸９を９０度より大きい回転角まで回転させた状態、例えば運転状態が第１領域〜第３領域に属するような状態は、本実施例における第３状態に相当する。また、上記の最高圧縮比領域は本実施例における第２圧縮比領域に相当する。
【実施例３】
【００７６】
次に、本発明における実施例３について説明する。本実施例においては、実施例２と同様、内燃機関１の運転状態が最高圧縮比領域に属する場合に、目標圧縮比が最高圧縮比より低い圧縮比となった際の圧縮比の追従性を向上させる制御であり、内燃機関１の運転状態の変化速度によってカム軸９の回転角を変化させる制御について説明する。
【００７７】
すなわち、本実施例においては、内燃機関１の運転状態が最高圧縮比領域に属する状態であって、直近に運転状態が最高圧縮比領域から外れる可能性が高い状態を、運転状態の変化速度が大きいことによって推測する。図８には、本実施例における運転状態の変化速度とカム軸９の回転角との関係のグラフを示す。
【００７８】
図８において縦軸はカム軸９の回転角、横軸は運転状態の変化速度である。ここで運転状態の変化速度はスロットル開度信号φの時間的変化ｄφ／ｄｔによって推測してもよい。図８に示すように、本実施例においては内燃機関１の運転状態が最高圧縮比領域に属する場合であっても、運転状態の変化速度が大きい場合には、運転状態が最高圧縮比領域から外れる可能性が高いと判断し、カム軸９の回転角を９０度に近づけるべく変化させる。
【００７９】
そうすれば、運転状態が高速で変化するような状況においては、カム軸９の回転角を９０度より小さくして圧縮比を最高圧縮比より低く変更できるよう準備することができ、実際の圧縮比の目標圧縮比への追従性を向上させることができる。なお、上記において運転状態の変化速度はスロットル開度信号φの時間的変化ｄφ／ｄｔによって推測したが、これを図示しないクランクポジションセンサからの信号により求められる機関回転数Ｎの時間的変化ｄＮ／ｄｔによって推測しても構わない。
【００８０】
また、上記の実施例においては、カム軸９の回転角を０度から９０度まで増加させることにより、シリンダブロック３及びクランクケース４が接近する構成について説明した。しかし、本発明を上記の実施例とは逆の構成、すなわち、シリンダブロック３とクランクケース４とが最も接近した状態において、カム軸９における可動軸受部９ｃの中心ｃ、軸部９ａの中心ａ及びカム部９ｂの中心ｂが、該順番でシリンダ２の軸方向に略平行に略一直線上に並ぶ構成に適用してもよい。その場合は、シリンダブロック３とクランクケース４とが最も離反した状態において、可動軸受部９ｃの中心ｃとカム部９ｂの中心ｂとが重なるとともに、可動軸受部９ｃの中心ｃ及びカム部９ｂの中心ｂと、軸部９ａの中心ａとが、シリンダ２の軸方向に略垂直に並ぶ場合である。そして、この場合には、最高圧縮比が第１圧縮比に、最低圧縮比が第２圧縮比に相当する。
【図面の簡単な説明】
【００８１】
【図１】本発明の実施例に係る可変圧縮比内燃機関の概略構成を示す分解斜視図である。
【図２】本発明の実施例に係る可変圧縮比内燃機関における最低圧縮比の状態から最高圧縮比の状態まで、カム軸を回転させた場合の経過を示す断面図である。
【図３】本発明の実施例に係る可変圧縮比内燃機関における最高圧縮比の状態からさらにカム軸を回転させた場合の経過を示す断面図である。
【図４】従来の可変圧縮比内燃機関と本発明の実施例に係る可変圧縮比内燃機関とにおける、カム軸の回転角の変化に応じた、軸部の中心とカム部の中心とを結んだ線分及び、軸部の中心と可動軸受部の中心とを結んだ線分の動きについて示す図である。
【図５】本発明の実施例に係るカム軸の回転角とシリンダブロック及びクランクケースの相対位置との関係を示すグラフである。
【図６】本発明の実施例に適用可能なギアの例を示す図である。
【図７】本発明の実施例２における運転状態とカム軸の回転角との関係を示すグラフである。
【図８】本発明の実施例３における運転状態の変化速度とカム軸の回転角との関係を示すグラフである。
【符号の説明】
【００８２】
１・・・内燃機関
２・・・シリンダ
３・・・シリンダブロック
４・・・クランクケース
９・・・カム軸
９ａ・・・軸部
９ｂ・・・カム部
９ｃ・・・可動軸受部
１０・・・ギア
１１ａ、１１ｂ・・・ウォームギア
１２・・・モータ
１４・・・ストッパ
Ｌ１・・・軸部の中心とカム部の中心とを結んだ線分
Ｌ２・・・軸部の中心と可動軸受部の中心とを結んだ線分
【図１】
2007298004.tif 000003
【図２】
2007298004.tif 000004
【図３】
2007298004.tif 000005
【図４】
2007298004.tif 000006
【図５】
2007298004.tif 000007
【図６】
2007298004.tif 000008
【図７】
2007298004.tif 000009
【図８】
2007298004.tif 000010